(57)【要約】【課題】水受け皿のドレン水の残水を極めて少なくすることができ、これによりスライムの発生ならびに水漏れの防止ができる空気調和機を提供すること。【解決手段】水受け皿に溜まったドレン水を機外に排出する第１ドレンポンプと、第１ドレンポンプより下方に設けられ、第１ドレンポンプで機外に排出しきれずに水受け皿に残ったドレン水を機外に排出する第２ドレンポンプを設け、空気調和機の運転停止直後と停止から所定時間が経過する度に第１ドレンポンプと第２ドレンポンプをそれぞれ所定時間運転させることで水受け皿の残水をなくすことができる。【選択図】図１
2006170504.tif 000002
【特許請求の範囲】
【請求項１】
熱交換器で凝縮したドレン水を貯留する水受け皿と、前記ドレン水を機外に排出するポンプと、前記ポンプを制御する制御手段を搭載した空気調和機であって、前記ドレンポンプは第１のドレンポンプと第２のドレンポンプとからなり、前記第２のドレンポンプは前記第１のドレンポンプより下方に吸込み口を設けることを特徴とする空気調和機。
【請求項２】
第２のドレンポンプを室外機側に設けたことを特徴とする請求項１に記載の空気調和機。
【請求項３】
第２のドレンポンプの吸込み側と吐出側に三方弁をそれぞれ有し、三方弁の一方が前記第２のドレンポンプの吸込み側か吐出側に接続されており、また他方を大気に開放されており、また残りの一方が一時的に水を入れる容器に接続されており、前記容器には前記水受け皿からドレン水を誘導するための吸水管と、機外に排出するための排水管があり、前記吸水管と前記排水管の途中にそれぞれ逆止弁を設けたことを特徴とする請求項１または２に記載の空気調和機。
【請求項４】
ドレンポンプを搭載した空気調和機のユニットに設けられた熱交換器が冷凍サイクルの蒸発器として動作する運転モードで運転する場合、その運転が停止した直後と停止してから所定時間経過する毎に、前記ドレンポンプを所定時間稼動させることを特徴とする、請求項１〜３のいずれか１項に記載の空気調和機。
【請求項５】
自動的に運転を停止する自動運転停止手段を設けた空気調和機であって、ドレンポンプを搭載した前記空気調和機のユニットに設けられた熱交換器が冷凍サイクルの蒸発器として動作する運転モードで運転する場合、その運転が前記自動運転停止手段により運転停止した直後と、停止してから所定時間経過する毎に、前記ドレンポンプを所定時間稼動させることを特徴とする、請求項１〜４のいずれか１項に記載の空気調和機。
【請求項６】
第１のドレンポンプの動作頻度より第２のドレンポンプの動作頻度を少なくしたことを特徴とする、請求項１〜５のいずれか１項に記載の空気調和機。
【請求項７】
空気調和機の運転停止直後は第１のドレンポンプを動作し、停止してから所定時間経過した後は、第２のドレンポンプを動作することを特徴とする、請求項４または５に記載の空気調和機。
【請求項８】
第２のドレンポンプは真空ポンプであり、第１のドレンポンプは真空ポンプもしくはそれ以外のポンプであることを特徴とする、請求項１〜７のいずれか１項に記載の空気調和機。
【発明の詳細な説明】
【技術分野】
【０００１】
本発明は、空気調和機の運転に伴って発生するドレン水を排出するドレンポンプを搭載した空気調和機に関するものである。
【背景技術】
【０００２】
従来から空気調和機の運転に伴って発生するドレン水を機外に排出するための空気調和機が提案されている（例えば、特許文献１参照）。
【０００３】
特許文献１では、空気調和機が停止するときに、停止時間を測定し、その停止時間が設定時間以上になった場合に遠心式のドレンポンプを動作させドレン水を機外に排出する構成になっている。
【特許文献１】特開２００３−１８５２２９号公報
【発明の開示】
【発明が解決しようとする課題】
【０００４】
しかしながら、遠心ポンプは遠心力を使って水を押し上げる仕組みになっているため、遠心ポンプを停止すると水の輸送力は失われ、順勾配をなす配水管まで押し上げられなかった分のドレン水は重力で水受け皿に戻ってきて滞留する。
【０００５】
このため、冷房または除湿運転停止後、滞留した残水を放置するとスライム等が発生する原因となってしまう。さらに、発生したスライム等によりドレンポンプの吸込口が閉塞し、水漏れの原因となる場合もある。
【０００６】
そこで、ドレン水処理に小型の真空ポンプ等を用いた場合、ポンプ停止時においても水を保持することが出来るので上記のごとき逆流は生じず、水受け皿の残水をなくすことはできるが、ポンプの吐出量が少ないために、冷房または除湿運転中の大量のドレン水を全て排出することができない。そのため水漏れが発生する可能性がある。
【０００７】
上記のように既存のポンプを使用した場合、特許文献１記載のドレン水処理方法では、機内に発生した大量のドレン水処理と、停止時の水受け皿の残水をなくすことを両立することができない。
【０００８】
本発明は、前記大量のドレン水処理に対応でき、また運転停止時の水受け皿の残水をなくすことができるドレンポンプを搭載した空気調和機を提供することを目的とする。
【課題を解決するための手段】
【０００９】
前記従来の課題を解決するために、本発明の空気調和機は、熱交換器で凝縮したドレン水を貯留する水受け皿と、ドレン水を機外に排出するポンプと、ポンプを制御する制御手段を搭載し、ドレンポンプは第１のドレンポンプと第２のドレンポンプとからなり、第２のドレンポンプは第１のドレンポンプより下方に吸込み口を設け、水受け皿に溜まったドレン水を第１のドレンポンプで機外に排出し、第１のドレンポンプで機外に排出しきれずに水受け皿に残ったドレン水を第２のドレンポンプで機外に排出するものである。
【００１０】
これによって、機内に発生した大量のドレン水処理と、停止時の水受け皿の残水をなくすことを両立できる。
【発明の効果】
【００１１】
本発明の空気調和機は、機内に発生した大量のドレン水処理を行なうことができ、さらに空気調和機の運転停止時の水受け皿の残水をなくすことができるので、水受け皿のスライム発生ならびにスライムによる不具合発生をも抑止することができる。
【発明を実施するための最良の形態】
【００１２】
第１の発明は、熱交換器で凝縮したドレン水を貯留する水受け皿と、ドレン水を機外に排出するポンプと、ポンプを制御する制御手段を搭載した空気調和機であって、ドレンポンプは第１のドレンポンプと第２のドレンポンプとからなり、第２のドレンポンプは第１のドレンポンプより下方に吸込み口を設けるもので、この構成をなすことにより、熱交換器で凝縮したドレン水を機外に排出する第１ドレンポンプと、第１ドレンポンプで機外に排出しきれずに水受け皿のさらに深い場所に残ったドレン水を機外に排出する第２ドレンポンプから構成されることにより、冷房または除湿運転時の大量のドレン水は第１ドレンポンプ（遠心ポンプなど）で排出し、冷房または除湿運転停止時の残水は第２ドレンポンプ（真空ポンプ）で排出するため、排出量不足による水漏れやスライムの発生を確実に防ぐことができる。
【００１３】
第２の発明は、特に第１の発明の第２のドレンポンプを室外機側に設けたもので、この構成をなすことにより、第２のドレンポンプを大型化することができ、第１のドレンポンプで排出しきれない残水を、第２のドレンポンプで確実に排出するので、残水量を極めて少量にすることができ、スライムの発生を抑制することが出来る。更には、室内機を複数台接続する多室型空気調和機において、各室内機に第２のドレンポンプを設けなくてすむため、低コストで同様の効果を得ることが出来る。
【００１４】
第３の発明は、特に第１〜２の発明の第２のドレンポンプの吸込み側と吐出側に三方弁をそれぞれ有し、三方弁の一方が前記第２のドレンポンプの吸込み側か吐出側に接続されており、また他方を大気に開放されており、また残りの一方が一時的に水を入れる容器に接続されており、前記容器には前記水受け皿からドレン水を誘導するための吸水管と、機外に排出するための排水管があり、前記吸水管と前記排水管の途中にそれぞれ逆止弁を設けたもので、この構成をなすことにより、耐水性の弱い真空ポンプを用いた場合でも真空ポンプに水が入ることなく確実にドレン水を排出することが出来るため、スライムの発生を抑制することが出来る。
【００１５】
第４の発明は、特に第１〜３の発明のドレンポンプを搭載した空気調和機のユニットに設けられた熱交換器が冷凍サイクルの蒸発器として動作する運転モードで運転する場合、その運転が停止した直後と停止してから所定時間経過する毎に、前記ドレンポンプを所定時間稼動させるもので、この構成をなすことにより、室内機運転停止後に室内熱交換器から徐々に垂れてくるドレン水を確実に機外に排出することができ、水受け皿の残水をなくすことができるため、スライムの発生を確実に防ぐことができる。
【００１６】
第５の発明は、特に第１〜４の発明の自動的に運転を停止する自動運転停止手段を設けた空気調和機であって、ドレンポンプを搭載した前記空気調和機のユニットに設けられた熱交換器が冷凍サイクルの蒸発器として動作する運転モードで運転する場合、その運転が前記自動運転停止手段により運転停止した直後と、停止してから所定時間経過する毎に、前記ドレンポンプを所定時間稼動させるもので、この構成をなすことにより、冷房または除湿運転が自動停止（サーモＯＦＦ）した場合でもドレン水を確実に機外に排出することができ、水受け皿の残水をなくすことができるため、スライムの発生を確実に防ぐことができる。
【００１７】
第６の発明は、特に第１〜５の発明の第１のドレンポンプの動作頻度より第２のドレンポンプの動作頻度を少なくしたもので、この構成をなすことにより、耐久性のあるポンプ
を第１のポンプとして常用し、前記第１のポンプより耐久性は劣るが排出出来るドレン水の残量をより少なく出来るポンプを第２のポンプとして補助的に使用し、確実にドレン水の残水量を少なくし、スライムの発生を抑制することが出来る。
【００１８】
第７の発明は、特に第４〜５の発明の空気調和機の運転停止直後は第１のドレンポンプを動作し、停止してから所定時間経過した後は、第２のドレンポンプを動作するもので、この構成をなすことにより、室内機運転停止後に室内熱交換器から徐々に垂れてくるドレン水を確実に機外に排出することができ、水受け皿の残水をなくすことができるため、スライムの発生を確実に防ぐことができる。
【００１９】
第８の発明は、特に第１〜７の発明の第２のドレンポンプは真空ポンプであり、第１のドレンポンプは真空ポンプもしくはそれ以外のポンプであるもので、冷房または除湿運転時の大量のドレン水は第１ドレンポンプ（遠心ポンプなど）で排出し、冷房または除湿運転停止時の残水は第２ドレンポンプ（真空ポンプ）で排出するため、排出量不足による水漏れやスライムの発生をより確実に防ぐことができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における空気調和機の概略構成図である。
【００２２】
まず、本実施例における空気調和機の概略構成について説明する。また、本発明の実施の形態１ではセパレート形の天井カセット形空気調和機について説明する。
【００２３】
室内機は、風回路内部に室内送風機と室内熱交換器４を配置し、室内熱交換器４の下に水受け皿３を配置し、水受け皿３の上に第１ドレンポンプ１と第２ドレンポンプ用吸込み口６を配置している。第１ドレンポンプの吐出口にはドレン排水主管５が接続されドレン水を機外に排出できるようになっている。
【００２４】
第２ドレンポンプシステム１３は、第２ドレンポンプ２、ドレン水タンク９、第２ドレンポンプ用吸水側逆止弁８ａ、第２ドレンポンプ用排水側逆止弁８ｂ、第２ドレンポンプ用吸気側三方弁１０ａ、第２ドレンポンプ用排気側三方弁１０ｂ、第２ドレンポンプ用吸気管１１ａ、第２ドレンポンプ用排気管１１ｂから構成されている。
【００２５】
第２ドレンポンプ２は室内機内部または室内機外部または室外機内部または室外機外部に設置され、第２ドレンポンプ用吸込み口６、第２ドレンポンプ用吸込み側ドレン配水管７ａ、第２ドレンポンプ用吸水側逆止弁８ａがドレン水タンク９の吸水側に順に接続されている。
【００２６】
またドレン水タンク９の排水側には第２ドレンポンプ用排水側逆止弁８ｂ、第２ドレンポンプ用吐出側ドレン配水管７ｂとドレン排水主管５が順に接続されている。ドレン水タンク９の排気側には、第２ドレンポンプ用吸気管１１ａ、第２ドレンポンプ用吸気側三方弁１０ａ、第２ドレンポンプ２の吸込み側に順に接続されている。
【００２７】
またドレン水タンク９の給気側には、第２ドレンポンプ用排気管１１ｂ、第２ドレンポンプ用排気側三方弁１０ｂ、第２ドレンポンプ２の吐出側に順に接続されている。第２ドレンポンプ用吸気側三方弁１０ａと第２ドレンポンプ用排気側三方弁１０ｂの一方はそれぞれ大気開放されている。この際、第１のドレンポンプの吸込口より、第２のドレンポンプの吸込口の方が下方に設けられる。ドレン水タンク９の内部にはフロートスイッチ１２
が設けられている。
【００２８】
次に、本実施例による空気調和機の動作について図２から図６を用いて説明する。
【００２９】
図２は、本発明の第１の実施の形態におけるドレン水処理の制御の流れを示すフローチャートである。
【００３０】
空気調和機が冷房（または除湿）運転を開始すると（ＳＴＥＰ１）、室内熱交換器４は蒸発器として働き、室内熱交換器４で凝縮して発生したドレン水が水受け皿に滴下する。そのため第１ドレンポンプ１を一定時間運転しては一定時間停止するといった通常ドレンポンプ制御（ＳＴＥＰ２）が実施される。それと同時に継続タイマをクリアする（ＳＴＥＰ３）。その後、室内機が運転停止しているかどうかを判断し（ＳＴＥＰ４）、運転されていればＳＴＥＰ５に進み、停止されていればＳＴＥＰ７に移る。
【００３１】
ＳＴＥＰ５では、室温と目標室温との差が−３Ｋよりも小さいかどうかを判断している。差が−３Ｋよりも小さい場合は室内を冷やしすぎているため、自動的に圧縮機を停止させるサーモＯＦＦ動作に入り、ＳＴＥＰ７に移る。
【００３２】
もし空気調和機が室外機１台に複数の室内機を接続させるマルチタイプだった場合は、圧縮機を停止させずに、対象の室内機に冷媒が流れないようにするサーモＯＦＦ動作に入り、ＳＴＥＰ７に移る。ＳＴＥＰ５で逆に差が−３Ｋ以上だった場合はＳＴＥＰ６に移る。
【００３３】
ＳＴＥＰ６では、運転モードが冷房（または除湿）運転から冷房（および除湿）運転以外に切り換ったかどうかを判断している。冷房（または除湿）運転が継続されていれば、ＳＴＥＰ２に戻り、運転モードが切り換っていれば、ＳＴＥＰ７に移る。ＳＴＥＰ７では、冷房（または除湿）運転が再開されていないか、または室温と目標室温の差が−３Ｋ以上になっていないかを判断している。ここで冷房（または除湿）運転が再開されていれば、ＳＴＥＰ２に移り、再開されていなければＳＴＥＰ８に移る。また室温と目標室温の差が−３Ｋ以上になっていれば、室内が温まってきていることになるので自動的に圧縮機を運転させるサーモＯＮ動作に入り、ＳＴＥＰ２に移る。もし空気調和機がマルチタイプの場合は対象の室内機に冷媒が流れるようにするサーモＯＮ動作に入り、ＳＴＥＰ２に移る。逆に差が−３Ｋ未満のままであれば、ＳＴＥＰ８に移る。ＳＴＥＰ８では、室内機運転停止、サーモＯＦＦまたは運転モード切換が行われてからの継続時間をカウントしている。
【００３４】
ＳＴＥＰ９では、継続タイマが０．５分以下であれば第１ドレンポンプ１を運転し（ＳＴＥＰ２０）、ＳＴＥＰ７に戻る。逆に継続タイマが０．５分より大きければＳＴＥＰ１０に移る。
【００３５】
ＳＴＥＰ１０では、継続タイマが２分以下であれば第１ドレンポンプ１を停止し（ＳＴＥＰ２１）、第２ドレンポンプシステム１３を運転し（ＳＴＥＰ２２）、ＳＴＥＰ７に戻る。逆に継続タイマが２分よりも大きければ第２ドレンポンプシステム１３を停止し（ＳＴＥＰ１１）、ＳＴＥＰ１２に移る。ＳＴＥＰ１２では、継続タイマが９０分未満であればＳＴＥＰ７に戻り、９０分以上であればＳＴＥＰ１３に移る。
【００３６】
ＳＴＥＰ１３では、継続タイマが９０．５分以下であれば第１ドレンポンプ１を運転し（ＳＴＥＰ２０）、ＳＴＥＰ７に戻る。逆に継続タイマが９０．５分より大きければＳＴＥＰ１４に移る。ＳＴＥＰ１４では、継続タイマが９２．５分以下であれば第１ドレンポンプ１を停止し（ＳＴＥＰ２１）、第２ドレンポンプ２を運転し（ＳＴＥＰ２２）、ＳＴ
ＥＰ７に戻る。逆に継続タイマが９２．５分よりも大きければ第２ドレンポンプ２を停止し（ＳＴＥＰ１５）、ＳＴＥＰ１６に移る。ＳＴＥＰ１６では、継続タイマが１８０分未満であればＳＴＥＰ７に戻り、１８０分以上であればＳＴＥＰ１７に移る。
【００３７】
ＳＴＥＰ１７では、継続タイマが１８０．５分以下であれば第１ドレンポンプ１を運転し（ＳＴＥＰ２０）、ＳＴＥＰ７に戻る。逆に継続タイマが１８０．５分より大きければＳＴＥＰ１８に移る。
【００３８】
ＳＴＥＰ１８では、継続タイマが１８２．５分以下であれば第１ドレンポンプ１を停止し（ＳＴＥＰ２１）、第２ドレンポンプシステム１３を運転し（ＳＴＥＰ２２）、ＳＴＥＰ７に戻る。逆に継続タイマが１８２．５分よりも大きければ第２ドレンポンプシステム１３を停止し（ＳＴＥＰ１９）、ＳＴＥＰ７に戻る。
【００３９】
図３は、本発明の第１の実施の形態における第２ドレンポンプシステム１３の制御の流れを示すフローチャートである。
【００４０】
第２ドレンポンプシステム１３が運転を開始すると（ＳＴＥＰ３１）、第２ポンプタイマをクリアした後に（ＳＴＥＰ３２）、第２ポンプタイマをアップする。
【００４１】
ドレン水タンク９内の水が規定量以上の場合はフロートスイッチ１２がＯＮし（ＳＴＥＰ３４）、ＳＴＥＰ５０に移る。また逆にフロートスイッチ１２がＯＦＦ（規定量未満）の場合はＳＴＥＰ３５に移る。
【００４２】
ＳＴＥＰ３５では、第２ポンプタイマが３０秒以上であれば、ＳＴＥＰ３９に移り、３０秒未満であれば、第２ドレンポンプ用排気側三方弁１０ｂを大気開放側に切り換え（ＳＴＥＰ３６）、第２ドレンポンプ用吸気側三方弁１０ａをドレン水タンク側に切り換えた後に（ＳＴＥＰ３７）、第２ドレンポンプ２を運転し（ＳＴＥＰ３８）、ＳＴＥＰ３３に戻る。これにより、ドレン水タンク９内部を真空引きしはじめ、第２ドレンポンプ用排水側逆止弁８ｂが閉じ、第２ドレンポンプ用吸水側逆止弁８ａが開き、水受け皿３に残ったドレン水が第２ドレンポンプ用吸込み口６から第２ドレンポンプ用吸込み側ドレン配水管７ａを通り、ドレン水タンク９に導かれる。
【００４３】
ＳＴＥＰ３９では、第２ポンプタイマが６０秒以上であれば、ＳＴＥＰ４２に移り、６０秒未満であれば、第２ドレンポンプ用排気側三方弁１０ｂをドレン水タンク側に切り換え（ＳＴＥＰ４０）、第２ドレンポンプ用吸気側三方弁１０ａを大気開放側に切り換え（ＳＴＥＰ４１）、ＳＴＥＰ３３に戻る。これにより、ドレン水タンク９内部を加圧しはじめるため、第２ドレンポンプ用吸水側逆止弁８ａが閉じ、第２ドレンポンプ用排水側逆止弁８ｂが開き、ドレン水タンク９に溜まったドレン水が第２ドレンポンプ用吐出側ドレン配水管７ｂからドレン排水主管５を通り、機外に排水される。
【００４４】
ＳＴＥＰ４２では、第２ポンプタイマが９０秒以上であれば、ＳＴＥＰ４５に移り、９０秒未満であれば、第２ドレンポンプ用排気側三方弁１０ｂを大気開放側に切り換え（ＳＴＥＰ４３）、第２ドレンポンプ用吸気側三方弁１０ａをドレン水タンク側に切り換え（ＳＴＥＰ４４）、ＳＴＥＰ３に戻る。これにより、ドレン水タンク９内部を再び真空引きしはじめ、第２ドレンポンプ用排水側逆止弁８ｂが閉じ、第２ドレンポンプ用吸水側逆止弁８ａが開き、水受け皿３に残ったドレン水が第２ドレンポンプ用吸込み口６から第２ドレンポンプ用吸込み側ドレン配水管７ａを通り、ドレン水タンク９に導かれる。
【００４５】
ＳＴＥＰ４５では、第２ポンプタイマが１２０秒以上であれば、第２ドレンポンプを停止し（ＳＴＥＰ４８）、第２ドレンポンプシステムの運転を停止する（ＳＴＥＰ４９）。
逆に１２０秒未満であれば、第２ドレンポンプ用排気側三方弁１０ｂをドレン水タンク側に切り換え（ＳＴＥＰ４６）、第２ドレンポンプ用吸気側三方弁１０ａを大気開放側に切り換え（ＳＴＥＰ４７）、ＳＴＥＰ３に戻る。これにより、ドレン水タンク９内部を加圧しはじめるため、第２ドレンポンプ用吸水側逆止弁８ａが閉じ、第２ドレンポンプ用排水側逆止弁８ｂが開き、ドレン水タンク９に溜まったドレン水が第２ドレンポンプ用吐出側ドレン配水管７ｂからドレン排水主管５を通り、機外に排水される。
【００４６】
ＳＴＥＰ５０では、ドレン水タンク９内の水が規定量以上の場合はフロートスイッチ１２がＯＮし、ＳＴＥＰ５２に移る。また逆にフロートスイッチ１２がＯＦＦ（規定量未満）の場合はＳＴＥＰ５１に移る。
【００４７】
ＳＴＥＰ５１では、第２ポンプタイマが６０秒以上であれば、ＳＴＥＰ４２に移り、６０秒未満であれば、第２ポンプタイマをアップし（ＳＴＥＰ５２）、第２ドレンポンプ用排気側三方弁１０ｂをドレン水タンク側に切り換え（ＳＴＥＰ５３）、第２ドレンポンプ用吸気側三方弁１０ａを大気開放側に切り換え（ＳＴＥＰ５４）、第２ドレンポンプ２を運転し（ＳＴＥＰ５５）、ＳＴＥＰ５０に戻る。これにより、ドレン水タンク９内部を加圧しはじめるため、第２ドレンポンプ用吸水側逆止弁８ａが閉じ、第２ドレンポンプ用排水側逆止弁８ｂが開き、ドレン水タンク９に溜まったドレン水が第２ドレンポンプ用吐出側ドレン配水管７ｂからドレン排水主管５を通り、機外に排水され、耐水性の弱い第２ドレンポンプを水から守ることができる。
【００４８】
図４は、本発明の第１の実施の形態における冷房運転から停止した場合のタイミングチャートである。
【００４９】
冷房運転が停止した場合、停止直後に３０秒間第１ドレンポンプ１を運転し、第１ドレンポンプ１停止直後に第２ドレンポンプシステム１３を１２０秒間運転する。これにより停止直後の水受け皿３の残水をなくすことができる。更に、運転停止から９０分経過した時点で、第１ドレンポンプ１を３０秒間運転し、第１ドレンポンプ１停止直後に第２ドレンポンプシステム１３を１２０秒間運転することで、停止直後に大量に室内熱交換器４に溜まっていたドレン水が時間とともに水受け皿３に徐々に滴下して溜まった残水をなくすことができる。更に運転停止から１８０分経過した時点で、第１ドレンポンプ１を３０秒間運転し、第１ドレンポンプ１停止直後に第２ドレンポンプシステム１３を１２０秒間運転することで、わずかに室内熱交換器４に溜まっていたドレン水が時間とともに水受け皿３に徐々に滴下して溜まった残水をなくすことができる。
【００５０】
図５は、本発明の第１の実施の形態における冷房運転から暖房運転に切り換った場合のタイミングチャートである。
【００５１】
冷房運転から暖房運転に切り換った場合、切り換った直後に３０秒間第１ドレンポンプ１を運転し、第１ドレンポンプ１停止直後に第２ドレンポンプシステム１３を１２０秒間運転する。これにより切り換った直後の水受け皿３の残水をなくすことができる。更に、切り換ってから９０分経過した時点で、第１ドレンポンプ１を３０秒間運転し、第１ドレンポンプ１停止直後に第２ドレンポンプシステム１３を１２０秒間運転することで、切り換った直後に大量に室内熱交換器４に溜まっていたドレン水が時間とともに水受け皿３に徐々に滴下して溜まった残水をなくすことができる。更に切り替わってから１８０分経過した時点で、第１ドレンポンプ１を３０秒間運転し、第１ドレンポンプ１停止直後に第２ドレンポンプシステム１３を１２０秒間運転することで、わずかに室内熱交換器４に溜まっていたドレン水が時間とともに水受け皿３に徐々に滴下して溜まった残水をなくすことができる。
【００５２】
図６は、本発明の第１の実施の形態における冷房運転から冷房自動停止（サーモＯＦＦ）になった場合のタイミングチャートである。
【００５３】
冷房運転がサーモＯＦＦした場合、サーモＯＦＦ直後に３０秒間第１ドレンポンプ１を運転し、第１ドレンポンプ１停止直後に第２ドレンポンプシステム１３を１２０秒間運転する。これによりサーモＯＦＦ直後の水受け皿３の残水をなくすことができる。更に、サーモＯＦＦから９０分経過した時点で、第１ドレンポンプ１を３０秒間運転し、第１ドレンポンプ１停止直後に第２ドレンポンプシステム１３を１２０秒間運転することで、サーモＯＦＦ直後に大量に室内熱交換器４に溜まっていたドレン水が時間とともに水受け皿３に徐々に滴下して溜まった残水をなくすことができる。更にサーモＯＦＦから１８０分経過した時点で、第１ドレンポンプ１を３０秒間運転し、第１ドレンポンプ１停止直後に第２ドレンポンプシステム１３を１２０秒間運転することで、わずかに室内熱交換器４に溜まっていたドレン水が時間とともに水受け皿３に徐々に滴下して溜まった残水をなくすことができる。
【００５４】
以上のように、本実施の形態においては、確実に水受け皿の残水をなくすことができ、スライムの発生を防止することができる。
【００５５】
なお、本発明の実施の形態１では、セパレート形の天井カセット形空気調和機について説明したが、一体型であっても、またセパレート形の壁掛け形であって、室外機側へドレン水を導くタイプのものであっても技術的に同一であることは言うまでもない。
【００５６】
また、本発明の実施の形態１では、ドレン水タンクの吸排気と大気への吸排気を三方弁により切り換えているが、二方弁を２個以上使っても同様の動作ができることは言うまでもない。
【産業上の利用可能性】
【００５７】
以上のように、本発明は、空気調和機のドレン水の残水量を少量にする事ができるので、空気調和機等の冷凍サイクルを搭載した機器や、機内から機外へ液体を排出する必要のある機器一般へ適用することができる。
【図面の簡単な説明】
【００５８】
【図１】本発明の第１の実施の形態における空気調和機の概略構成図
【図２】本発明の第１の実施の形態におけるドレン水処理制御のフローチャート
【図３】本発明の第１の実施の形態における第２ドレンポンプシステム制御のフローチャート
【図４】本発明の第１の実施の形態における冷房運転から停止した場合のタイミングチャート
【図５】本発明の第１の実施の形態における冷房運転から暖房運転に切り換った場合のタイミングチャート
【図６】本発明の第１の実施の形態における冷房運転から冷房自動停止（サーモＯＦＦ）になった場合のタイミングチャート
【符号の説明】
【００５９】
１  第１ドレンポンプ
２  第２ドレンポンプ
３  水受け皿
４  室内熱交換器
５  ドレン排水主管
６  第２ドレンポンプ用吸込み口
７ａ  第２ドレンポンプ用吸込み側ドレン配水管
７ｂ  第２ドレンポンプ用吐出側ドレン配水管
８ａ  第２ドレンポンプ用吸水側逆止弁
８ｂ  第２ドレンポンプ用排水側逆止弁
９  ドレン水タンク
１０ａ  第２ドレンポンプ用吸気側三方弁
１０ｂ  第２ドレンポンプ用排気側三方弁
１１ａ  第２ドレンポンプ用吸気管
１１ｂ  第２ドレンポンプ用排気管
１２  フロートスイッチ
１３  第２ドレンポンプシステム
【図１】
2006170504.tif 000003
【図２】
2006170504.tif 000004
【図３】
2006170504.tif 000005
【図４】
2006170504.tif 000006
【図５】
2006170504.tif 000007
【図６】
2006170504.tif 000008